(57)【要約】【構成】屋上設置型の日除け１０であって、両面発電型の複数の太陽電池セル４０が互いに隙間を隔てて配置されている太陽電池パネル１６を遮光部に使用してあり、この日除け１０の内側に照明器具５２が取り付けられている。この日除け１０は、日除けとしての機能を有する上に、太陽光発電機能も備えているので、日除け１０を設置するスペース以外に太陽電池パネル１６を設置するための別のスペースを必要としない。そして、夜間においても照明器具５２の点灯時に出射される光によって発電できる。【効果】日除けとは別に太陽電池パネルを設置するためのスペースが不要なので、居住者が利用できる比較的広いスペースを屋上に確保できる。そして、昼夜両方で発電できるので、発電量を増大できて経済的である。【選択図】  図１
2004183415.tif 000002
【特許請求の範囲】
【請求項１】
屋上設置型の日除けであって、
両面発電型の複数の太陽電池セルが互いに間隔を隔てて配置されている太陽電池パネルを遮光部に使用した、日除け。
【請求項２】
前記太陽電池パネルは山形に形成されその下方に開口部を形成し、さらに
山形の前記２つの傾斜部の頂上部に形成されたよろい板付き排気孔を備える、請求項１記載の日除け。
【請求項３】
前記日除けの内側に照明器具が取り付けられ、前記太陽電池セルは前記照明器具の点灯時に出射される光を利用して発電する、請求項１または２記載の日除け。
【請求項４】
屋上空間を有し、請求項１ないし３のいずれかに記載の日除けが前記屋上に設置された、日除けを有する住宅。
【発明の詳細な説明】
【０００１】
【産業上の利用分野】
この発明は日除けおよび日除けを有する住宅に関し、特にたとえば、住宅の屋上空間に設置されるものであって、太陽電池パネルを遮光部に使用した日除け、およびこのような日除けを有する住宅に関する。
【０００２】
【従来技術】
従来、図６に示す屋根設置型太陽電池発電装置１がある（たとえば、特許文献１参照。）。この発電装置１は、複数の太陽電池モジュール２を備えており、これら太陽電池モジュール２を屋根構体３の上に設置して使用されるものである。これら各太陽電池モジュール２は、複数の両面発電型太陽電池セル４を有している。この発電装置１によると、両面発電型太陽電池セル４の表面に入射する太陽光によって発電することができる。また、この太陽電池セル４どうしの隙間５を透過して反射板６に入射した太陽光がこの反射板６で反射して、太陽電池セル４の裏面に入射するするようになっており、このように、太陽電池セル４の裏面に入射する太陽光によっても発電することができる。よって、片面発電型太陽電池セルを使用する場合と比較して、発電量を増大させることができる。
【０００３】
そして、反射板６は、太陽光の熱エネルギによって加熱されるが、この反射板６が断熱材料によって形成されているので、この熱エネルギが屋根構体３の内側に形成されているたとえば屋根裏３ａ等に伝導することを防止でき、これによって、屋内空間の温度上昇を抑制できる。
【０００４】
【特許文献１】
特開２００２−９４１０３号公報
【０００５】
【発明が解決しようとする課題】
しかし、図６に示す従来の屋根設置型太陽電池発電装置１は、屋根構体３の上に設置して使用されるものであるので、同様にして、この発電装置１をたとえば住宅の屋上に設置した場合は、屋上空間の利用スペースを狭めることとなる。
【０００６】
そして、この発電装置１では、厚みを薄くしてコンパクトにするために、太陽電池セル４と反射板６との隙間７を小さくすることが考えられるが、このようにすると、太陽電池セル４の裏面の通気性が低下して、太陽電池セル４の温度上昇による発電効率の低下を招くという問題がある。
【０００７】
また、この発電装置１では、太陽光が照射される昼間に発電することができるが、太陽光が照射されない夜間には発電することができないという問題がある。
【０００８】
それゆえに、この発明の主たる目的は、屋上空間の利用スペースを狭めることなく、太陽光を利用して効率よく発電することができ、しかも夜間にも発電できる日除け、およびこのような日除けを有する住宅を提供することである。
【０００９】
【課題を解決するための手段】
第１の発明は、屋上設置型の日除けであって、両面発電型の複数の太陽電池セルが互いに間隔を隔てて配置されている太陽電池パネルを遮光部に使用した、日除けである。
【００１０】
第２の発明は、屋上空間を有し、第１の発明の日除けが屋上に設置された、日除けを有する住宅である。
【００１１】
【作用】
第１の発明に係る日除けによると、この日除けを屋上に設置することによって、太陽電池パネルが遮光部として機能するので、昼間は日除けとして利用することができるし、夜間は霜除けとして利用することができる。また、雨除けや風除けとしても利用することができる。
【００１２】
これによって、春季，秋季はもちろん、日差しの強い夏季および霜が降りる冬季を通じて、屋上空間の利用を可能にすることができるし、昼間および夜間にも屋上空間を快適に利用できるようにすることができる。
【００１３】
そして、太陽電池パネルを日除けとして使用しているので、この日除けが設置された状態で、太陽電池パネルの表面および裏面の各側には比較的広い空間を確保することができる。よって、太陽電池パネルの表面および裏面の通気性が良好となる。また、この日除けの頂上部に排気孔を設けた場合は、日除けの内側空間の熱せられた空気が上昇してこの排気孔を通って外側に排出される。これによって、太陽光等による太陽電池セルの温度上昇を抑制できるので、太陽電池セルの温度上昇による発電効率の低下を抑制できる。したがって、太陽電池セルによって効率よく発電できて電気料金を節約できる。なお、排気孔に取り付けられているよろい板は、直射日光や雨等が排気孔内に入射したり流入することを防ぐことができる。
【００１４】
また、日除けの下方、つまり日除けと設置面との間に開口部が形成されている場合は、太陽光がこの開口部を通って太陽電池セルの裏面に入射するので、この開口部を通ってきた太陽光の分だけ図６に示す従来のものよりも発電量を増大できる。
【００１５】
さらに、この日除けの内側に照明器具を取り付けた場合は、その照明器具の点灯時に出射される光が太陽電池セルの裏面に入射するので、夜間においてもその照明器具の光によって発電することができる。したがって、太陽電池セルを昼夜両方で発電に利用できるので、発電量を増大でき経済的である。
【００１６】
そして、太陽電池パネルを使用する屋上設置型の日除けは、従来では存在していないので、斬新な外観の日除けを提供できる。したがって、このような日除けを屋上に設置することによって、斬新な外観の住宅を提供できる。よって、需要者における日除けおよび住宅の選択の幅を広げることができる。
【００１７】
第２の発明に係る日除けを有する住宅によると、この日除けは、第１の発明の日除けと同様に作用するので、その説明を省略する。
【００１８】
【発明の効果】
第１の発明に係る日除けによれば、日除けや霜除け等としての機能を有する上に、太陽光発電機能も備えているので、たとえば太陽光発電機能を有しない日除けと、太陽電池パネルとを別々に住宅の屋上に設置した場合と比較して、日除けおよび太陽電池パネル自体に掛かる費用の低減、ならびに設置費用の低減を図ることができる。さらに、屋上において、日除けを設置するスペース以外に太陽電池パネルを設置するための別のスペースを必要としないので、居住者が利用できる屋上のスペースとして比較的広いスペースを確保できる。
【００１９】
第２の発明に係る日除けを有する住宅によれば、この日除けは、第１の発明の日除けと同様の効果を奏するので、従来では得られない快適な居住空間を提供できる。
【００２０】
この発明の上述の目的，その他の目的，特徴および利点は、図面を参照して行う以下の実施例の詳細な説明から一層明らかとなろう。
【００２１】
【実施例】
この発明に係る日除け、およびその日除けを有する住宅の一実施例を図１〜図５を参照して説明する。この日除け１０は、図２に示すように、たとえば２階建て住宅１２の屋上１４に設置される屋上設置型のものであって、太陽電池パネル１６を遮光部として使用しているので、日除けや霜除け等としての機能と、太陽光発電機能とを兼ね備えているものである。
【００２２】
日除け１０は、図１に示すように、左側の矩形の傾斜部を形成する第１日除け部１８、右側の矩形の傾斜部を形成する第２日除け部２０、ならびにこれら第１および第２日除け部１８，２０を支持する傾斜部材２２および支柱２４等を備えている。これら第１および第２日除け部１８，２０は、２つの傾斜部を有する山形に形成されており、水平方向から見て三角形の２辺を形成するように設置されている。各日除け部１８，２０は、水平面に対してたとえば約４０°の傾斜角度で配置されている。これら第１および第２日除け部１８，２０は、図１に示すように、屋上１４に設置されている傾斜部材２２，水平部材２８および支柱２４等に取り付けられて固定されている。なお、第１日除け部１８の下縁は、屋上１４に設置されている柵３０の上縁と開口部を隔てて配置されており、第２日除け部２０の下縁は住宅１２の屋根３２の縁部と連なっている。そして、第１および第２日除け部１８，２０の奥側のそれぞれの傾斜縁は、傾斜部材２２に支持された状態で住宅１２の屋根３２の他の縁部と連なっている。また、第１および第２日除け部１８，２０の手前側のそれぞれの傾斜縁を支持する傾斜部材２２，２２，床面３４，壁面３６および柵３０は、開口部３８を形成している。
【００２３】
また、図１および図２に示すように、第１日除け部１８は、合計８枚の太陽電池パネル１６を備えており、第２日除け部２０は、合計４枚の太陽電池パネル１６を備えている。各太陽電池パネル１６は、それぞれ同等のものであって、矩形の板状体として形成されている。第１日除け部１８の太陽電池パネル１６は、横に４列、縦に２段に配置されており、第２日除け部２０の太陽電池パネル１６は横方向に沿って４つ配置されている。これら各太陽電池パネル１６は、傾斜部材２２および水平部材２８によってそれぞれが矩形に形成された各開口縁に取り付けられている。
【００２４】
太陽電池パネル１６は、図３に示すように、従来公知の両面発電型の複数の太陽電池セル４０を備えるものであり、外側に向かう表面の側に配置された透明の表面強化ガラス部４２と、裏面の側に配置された透明の裏面強化ガラス部４４とを備えている。そして、これら表面強化ガラス部４２と裏面強化ガラス部４４との間に透明封止材４６によって、複数の太陽電池セル４０が封止されている。これら複数の太陽電池セル４０は、それぞれが所定の隙間（間隔）４８を隔てて縦方向および横方向に沿って配置されている。また、各太陽電池パネル１６の周囲には、フレームが取り付けられている。これら各太陽電池セル４０は、たとえば遮光性材料によって形成されており、太陽電池パネル１６が遮光部として使用されている。なお、この太陽電池パネル１６として、たとえば三洋電機製の型番がＨＩＰ−Ｇ７５２Ｄ１のものを使用している。また、太陽電池セル４０どうしの隙間４８の面積は、太陽電池パネル１６の表面積のたとえば４〜５％である。したがって、この隙間面積に応じた量の太陽光がこの太陽電池パネル１６を透過することができ、太陽電池セル４０の面積に応じた量の太陽光が遮光される。
【００２５】
この太陽電池パネル１６によると、図３に示すように、遮光性材料によって形成されている各太陽電池セル４０によって太陽光を遮ることができる。よって、各太陽電池セル４０が日除けとしての機能を果たすことができる。そして、太陽光の一部の光は、表面強化ガラス部４２および透明封止材４６を透過して太陽電池セル４０の表面４０ａに入射するので、太陽電池セル４０はこの光を利用して発電することができる。また、太陽光の他の一部の光は、表面強化ガラス部４２、太陽電池セル４０どうしの隙間４８に配置されている透明封止材４６、および裏面強化ガラス部４４を透過して、屋上１４の床面３４，壁面３６およびプール５０の水面等に入射する。そして、この床面３４等に入射した光は、床面３４等で乱反射して、裏面強化ガラス部４４および透明封止材４６を透過して太陽電池セル４０の裏面４０ｂに入射するので、太陽電池セル４０はこの光を利用して発電することができる。
【００２６】
さらに、図１に示すように、日除け１０および床面３４等によって形成された開口部３８からも太陽光が入射してきて、床面３４や壁面３６等で反射して、この反射した太陽光が太陽電池セル４０の裏面４０ｂに入射するので、太陽電池セル４０はこのような光を利用して発電することもできる。さらに、第１および第２日除け部１８，２０の裏面や壁面３６に設置されている照明器具５２，５８の点灯時に出射される光が太陽電池セル４０の裏面４０ｂに入射するので、太陽電池セル４０はこの光によっても発電することができる。
【００２７】
また、図４に示すように、山形に形成された日除け１０の頂上部によろい板付き排気孔２６が形成されている。つまり、排気孔２６，２６は、第１および第２日除け部１８，２０のそれぞれの上縁に沿って形成されており、内側によろい板（ルーバ）５４が設置されている。各よろい板５４は、矩形の細長い板状体であって、それぞれが所定の間隔を隔ててほぼ水平に配置されている。
【００２８】
この排気孔２６は、太陽光や各太陽電池パネル１６の有する熱等によって熱せられた日除け１０の内側空間の空気を外部に排出するためのものである。よろい板５４は、直射日光，雨および霜が排気孔２６を通って日除け１０の内側に入射したり入り込まないようにするためのものである。したがって、各よろい板５４は、対応する各第１および第２日除け部１８，２０に沿うように傾斜させて設置してもよい。そして、図１に示すように、排気孔２６の奥側位置には換気扇５６が設置されている。この換気扇５６は、日除け１０の内側空間の熱せられた空気を強制的に外側に排出するためのものである。
【００２９】
さらに、図１に示すように、第１日除け部１８および第２日除け部２０の裏面や壁面３６には、照明器具５２，…および手元用照明器具５８が設置されている。
【００３０】
図５は、日除け１０が設置されている住宅１２の太陽光発電システム６０の構成の一例を示すブロック図である。太陽電池セル４０および蓄電池６２がそれぞれ充放電制御部６４に電気的に接続しており、この充放電制御部６４が第１切換スイッチ６６に電気的に接続している。この第１切換スイッチ６６には、直流負荷６８が電気的に接続しているし、パワーコンディショナ７０を介して第２切換スイッチ７２も電気的に接続している。この第２切換スイッチ７２には、交流負荷７４および電力系統７６がそれぞれ電気的に接続している。
【００３１】
充放電制御部６４は、太陽電池セル４０によって発電された電気を蓄電池６２に充電させることができるし、太陽電池セル４０および蓄電池６２からの電気を第１切換スイッチ６６を介して直流負荷６８やパワーコンディショナ７０に供給することができるものである。
【００３２】
第１切換スイッチ６６は、充放電制御部６４と直流負荷６８とを電気的に接続する直流負荷側切換位置６６ａと、充放電制御部６４とパワーコンディショナ７０とを電気的に接続する交流負荷側切換位置６６ｂとに切り換えることができるものである。この第１切換スイッチ６６は、たとえば手動によって切り換えることができる。
【００３３】
第２切換スイッチ７２は、パワーコンディショナ７０と交流負荷７４とを電気的に接続する発電側切換位置７２ａと、電力系統７６と交流負荷７４とを電気的に接続する電力系統側切換位置７２ｂとに切り換えることができるものである。
【００３４】
パワーコンディショナ７０は、インバータ等を有し、太陽電池セル４０や蓄電池６２から供給される直流電流を利用に適した交流電流に変換するためのものである。そして、第２切換スイッチ７２を、たとえば自動的に発電側切換位置７２ａと電力系統側切換位置７２ｂとに切り換えることができ、これによって発電電力および電力系統７６の電力を使用して、交流負荷７４に対して安定して電気を供給できるようにするものである。
【００３５】
直流負荷６８は、屋上１４に取り付けられている換気扇５６や手元用照明器具５８である。交流負荷７４は、屋上１４に取り付けられている照明器具５２や、住宅１２の室内等に設置されている図示しない照明器具，テレビ，洗濯機等である。
【００３６】
図５に示す太陽光発電システム６０によると、第１切換スイッチ６６を手動によって図５に示す直流負荷側切換位置６６ａにすると、太陽電池セル４０や蓄電池６２からの直流電流を直流負荷（換気扇５６や手元用照明器具５８）６８に供給できる状態となる。したがって、太陽電池セル４０によって発電して得られた電気を使用して直流負荷６８である換気扇５６を起動したり、手元用照明器具５８を点灯させることができる。
【００３７】
ただし、太陽光を利用できない夜間の場合は、日除け１０の裏面や壁面３６に取り付けられている照明器具５２，…の点灯時に出射される光を利用して、太陽電池セル４０によって発電できるので、この発電して得られた電気を使用して換気扇５６を起動したり手元用照明器具５８を点灯させることができる。つまり、屋上（日除け１０の裏面等）１４に設置されている照明器具５２，…は、電力系統７６から供給される電気によって点灯するものであり、この照明器具５２，…の光が太陽電池セル４０の裏面４０ｂに直接に入射したり、床面３４，壁面３６およびプール５０の水面等を反射してその裏面４０ｂに入射するので、太陽電池セル４０は、これらの光を利用して発電することができる。したがって、このようにして発電された電気によって、夜間であっても換気扇５６等の直流負荷６８を起動等させることができるので経済的である。また、太陽電池セル４０を昼夜両方で発電に利用することができることによっても発電量を増大できるので経済的である。もちろん、蓄電池６２を設置してあるので、照明器具５２，…を点灯させることなく換気扇５６等の直流負荷６８を起動等させることができる。
【００３８】
そして、太陽電池セル４０は、太陽光や照明器具５２等から出射される光のうち、屋上１４の床面３４や壁面３６等を反射して、この太陽電池セル４０の裏面４０ｂに入射する光も利用して発電しているので、床面３４および壁面３６等を光の反射率の大きい材料で形成したり、これら床面３４等を光の反射率の大きい塗料で塗装するとよい。これによって、この両面発電型太陽電池セル４０の裏面４０ｂに入射する光量の増加、すなわち発電量の増加を図ることができる。
【００３９】
次に、図５に示す第１切換スイッチ６６を手動によって交流負荷側切換位置６６ｂにすると、太陽電池セル４０や蓄電池６２から供給される直流電流をパワーコンディショナ７０によって交流電流に変換して、第２切換スイッチ７２を介して交流負荷（住宅１２の室内等に設置されている照明器具，テレビ，洗濯機等）７４に供給できる状態となる。したがって、太陽電池セル４０によって発電して得られた電気を使用して交流負荷７４である室内の照明器具を点灯したり、テレビ等を作動させることができる。
【００４０】
パワーコンディショナ７０は、第１切換スイッチ６６が交流負荷側切換位置６６ｂにある状態において、太陽電池セル４０および蓄電池６２から供給されるたとえば直流電流の大きさが予め定めた許容値以上であるか否かを判定する判定部を有している。この判定部によって、直流電流が許容値以上であると判定されたときは、第２切換スイッチ７２を自動的に発電側切換位置７２ａに切り換えて、発電電力をテレビ等の交流負荷７４に供給できるようにする。
【００４１】
ただし、この判定部によって、直流電流が許容値未満であると判定されたときは、第２切換スイッチ７２を、自動的に電力系統側切換位置７２ｂに切り換えて、電力系統７６の電力を交流負荷７４に供給できるようにする。このようにして、発電電力および電力系統７６の電力を使用して、交流負荷７４に対して安定して電気を供給することができる。
【００４２】
図１等に示す日除け１０によると、この日除け１０を屋上１４に設置することによって、太陽電池パネル１６が遮光部として機能するので、昼間は日除けとして利用することができるし、夜間は霜除けとして利用することができる。また、雨除けや風除けとしても利用することができる。
【００４３】
これによって、春季および秋季はもちろん、日差しの強い夏季および霜が降りる冬季を通じて、屋上空間の利用を可能にすることができるし、昼間および夜間にも屋上空間を快適に利用できるようにすることができる。
【００４４】
そして、太陽電池パネル１６を日除けとして使用しているので、この日除け１０が設置された状態で、図１に示すように、太陽電池パネル１６の表面および裏面の各側には比較的広い空間を確保することができる。よって、太陽電池パネル１６の表面および裏面の通気性が良好となる。そして、日除け１０に形成されている排気孔２６，２６は、日除け１０の頂上部に形成されているので、日除け１０の内側空間の熱せられた空気が上昇して効果的にこの排気孔２６を通って外側に排出されるし、換気扇５６によっても熱せられた空気を強制的に外部に排出できる。これによって、日除け１０の内側空間の温度上昇を抑制できる。
【００４５】
したがって、日除け１０の内側空間（屋上１４）でたとえばバーベキュー等の加熱調理を行う場合でも、この内側空間に熱が溜まらず、煙を排気できる等によって、比較的快適にこの屋上１４を利用できる。そして、太陽電池パネル１６に設けられている太陽電池セル４０の温度上昇も抑制できるので、太陽電池セル４０の温度上昇による発電効率の低下を軽減できる。よって、電気料金を効果的に節約できる。
【００４６】
また、太陽電池パネル１６を使用して日除け１０を形成することによって、太陽電池パネル１６の用途を拡大でき、よって、太陽電池パネル１６の需要の増大を図ることができる。これによって、需要者においては電気料金が低減するし、地球のエネルギ資源の消費を抑えることができる。
【００４７】
さらに、太陽電池パネル１６を使用するこのような屋上設置型の日除け１０は、従来では存在していないので、斬新な外観の日除け１０を提供できる。したがって、このような日除け１０を屋上１４に設置することによって、斬新な外観の住宅１２を提供できる。よって、需要者における日除け１０および住宅１２の選択の幅を広げることができる。
【００４８】
そして、図１に示す日除け１０によれば、日除けや霜除け等としての機能を有する上に、太陽光発電機能も備えているので、たとえば太陽光発電機能を有しない日除けと、太陽電池パネルとを別々に住宅の屋上１４に設置した場合と比較して、日除けおよび太陽電池パネル自体に掛かる費用の低減、ならびに設置費用の低減を図ることができる。さらに、屋上１４において、日除けを設置するスペース以外に太陽電池パネルを設置するための別のスペースを必要としないので、居住者が利用できる屋上１４のスペースとして比較的広いスペースを確保できる。このように、日除け１０を有する住宅１２によれば、従来では得られない快適な居住空間を提供できる。
【００４９】
ただし、上記実施例では、太陽電池セル４０を遮光性材料で形成したが、これに代えて、日除け機能を果たすことができる程度の透光率を有する半透光性材料で太陽電池セル４０を形成してもよい。
【００５０】
そして、上記実施例では、屋上１４に設置されている換気扇５６および手元用照明器具５８を、図５に示す直流負荷６８としたが、これら換気扇５６および手元用照明器具５８を交流負荷としてもよい。この場合は、図５に示す直流負荷６８および第１切換スイッチ６６を省略するとともに、充放電制御部６４とパワーコンディショナ７０とを電気的に接続する。そして、換気扇５６および手元用照明器具５８を交流負荷７４に含めることとする。これによって、換気扇５６および手元用照明器具５８を電力系統７６から供給される電気よって作動させることができるし、発電電力によっても作動させることができる。
【００５１】
また、上記実施例では、図１に示すように、太陽電池セル４０を碁盤の目のようにして縦横に配列したが、これ以外にも、たとえば横縞状、縦縞状、千鳥状に配列してもよい。
【００５２】
さらに、上記実施例の日除け１０は、図１に示すように、第１および第２日除け部１８，２０からなるものとしたが、これ以外の構成としてもよい。例えば第１および第２日除け部１８，２０のうちの一方を備える構成としてもよいし、外形が四角錐等の多角錐の形状としてもよい。
【図面の簡単な説明】
【図１】この発明の一実施例に係る日除けを有する住宅のその日除けを示す斜視図である。
【図２】図１実施例の日除けを有する住宅の全体を示す斜視図である。
【図３】図１実施例の日除けを構成する太陽電池パネルを示す部分拡大断面図である。
【図４】図１実施例の日除けに設けられている換気孔を示す拡大断面図である。
【図５】図１実施例の日除けを有する住宅に設けられている太陽光発電システムを示すブロック図である。
【図６】従来の屋根設置型太陽電池発電装置を示す部分拡大断面図である。
【符号の説明】
１０  …日除け
１２  …住宅
１４  …屋上
１６  …太陽電池パネル
１８  …第１日除け部
２０  …第２日除け部
２２  …傾斜部材
２６  …よろい板付き排気孔
３４  …床面
３６  …壁面
３８  …開口部
４０  …太陽電池セル
４０ａ  …太陽電池セルの表面
４０ｂ  …太陽電池セルの裏面
４２  …表面強化ガラス部
４４  …裏面強化ガラス部
４６  …透明封止材
４８  …隙間
５２  …照明器具
５４  …よろい板
５６  …換気扇
５８  …手元用照明器具
６０  …太陽光発電システム
６６  …第１切換スイッチ
７２  …第２切換スイッチ
７６  …電力系統
【図１】
2004183415.tif 000003
【図２】
2004183415.tif 000004
【図３】
2004183415.tif 000005
【図４】
2004183415.tif 000006
【図５】
2004183415.tif 000007
【図６】
2004183415.tif 000008